(57)【特許請求の範囲】
【請求項１】
弾性変形可能な細棒状で、後頭部に掛け渡せるように弧状に形成されたヘッドバンドと、
前記ヘッドバンドの各自由端側にそれぞれ折り返すよう曲げて形成され、各耳の上側に当接して支持される部分を構成する耳回り部と、
前記各耳回り部の自由端からそれぞれ各耳の孔側へバーチカル方式の音源部用のハウジングを一体的に突設するよう、前記ヘッドバンドの両端部にそれぞれ一体的に設けられたケースと、
前記ハウジング内の空間を前記ケース内の空間から隔てる壁部分を貫通する開口と、
前記開口に配置され、一方の孔の口をハウジング内に開口するとともに、他方の孔の口をケース内に開口する所定長さを有する筒状体とを備えることを特徴とするヘッドホン。
【請求項２】
前記ハウジング内の空間を前記ケース内の空間から隔てる壁部分に、
当該壁部分を貫通する小開口と、
前記小開口を塞ぐように配置されるダンパとを備えることを特徴とする請求項１に記載のヘッドホン。
【発明の詳細な説明】
【０００１】
【発明の属する技術分野】
この発明は、ヘッドバンドを後頭部に渡って掛けるバーチカル方式のヘッドホンに関する。
【０００２】
【従来の技術】
一般に、テープレコーダやラジオ等の音響機器で音楽やその他の音声信号などを聞く場合には、ヘッドホンが使用されている。従来、ヘッドホンには、人間の頭部の上側にヘッドバンドを掛ける上掛けタイプのヘッドホン、頭部の下側にヘッドバンドを回して掛ける下掛けタイプのヘッドホン、後頭部側にヘッドバンドを掛ける後掛けタイプのヘッドホン等がある。
【０００３】
また、音源となるヘッドホンのドライバユニットからの音声の出力口の配置としては、その音声出力口部分を側頭部に垂直方向に向けて耳の孔を覆うように配置されるオープンエア方式のヘッドホンの他に、使用感向上等を目的として、このドライバユニットの音声出力口部分を人間の耳孔内の頭部の前側に向いた耳孔部分へ真直に音声出力がなされるように配置したいわゆるバーチカル方式のヘッドホンも近年使用されるようになっている。
【０００４】
【発明が解決しようとする課題】
このような従来のヘッドホンでは、高品位の音を出そうとするとドライバユニットが大型化して重くなり、上掛け式のヘッドバンドを使用者の頭部に載せるようにして自重を支えるか、又は外耳の耳輪部分にめがねのつる（テンプル）状の係止具を引掛けることにより自重を支えることになり使用感が悪くなる。
【０００５】
また、ヘッドホンのドライバユニットを小型で軽くすると高品位の音を出すのが困難になるとともに、小型化に伴い音響特性を向上させるため設けられる空気放出口の開口部や空気通路の設定が難しくなる。
【０００６】
本発明は上述の点に鑑み、軽量小型化して使用感を良好にするとともに、高品位の音を出せるようにしたヘッドホンを新たに提供することを目的とする。
【０００７】
【課題を解決するための手段】
本発明の請求項１に記載のヘッドホンは、弾性変形可能な細棒状で、後頭部に掛け渡せるように弧状に形成されたヘッドバンドと、ヘッドバンドの各自由端側にそれぞれ折り返すよう曲げて形成され、各耳の上側に当接して支持される部分を構成する耳回り部と、各耳回り部の自由端からそれぞれ各耳の孔側へバーチカル方式の音源部用のハウジングを一体的に突設するよう、ヘッドバンドの両端部にそれぞれ一体的に設けられたケースと、ハウジング内の空間をケース内の空間から隔てる壁部分を貫通する開口と、開口に配置され、一方の孔の口をハウジング内に開口するとともに、他方の孔の口をケース内に開口する所定長さを有する筒状体とを備えることを特徴とする。
【０００８】
上述のように構成することにより、ヘッドバンドを後頭部に掛け渡すように着用し、耳回り部が適度に各耳の上側部位に圧接してヘッドホンの自重の大部分を支え、各ハウジングを耳孔内の所定の着用位置に保持して使用感を良好にできる。さらに、バーチカル方式の音源用のハウジングを、音の発射方向が顔面前方方向へ延びる耳孔方向に適合する状態に適切に保持して良好なリスニング状態を安定して設定できる。
【０００９】
また、ハウジング側の空間とケース内の音響的に開放された空間とを仕切る壁部分に貫通して設けられた開口により、音源で発生した音の低音域ピーク特性をより低い音域に低音のピークが移るようにし、より高品位な音を直接鼓膜に伝えるようにして良い音を聴取可能とする。さらに、この開口をケースの内部に配置される壁部分に設けるためケースやハウジングの外表面に穴形状が露出しないので、外観上良好なデザインが得られる。
更に、ハウジング側の空間とケース内の音響的に開放された空間とを仕切る壁部分に貫通して配設された筒状体により、音源で発生した音の低音域ピーク特性を適切により低い音域に低音のピークが移るようにし、より高品位な音を直接鼓膜に伝えるようにして良い音を聴取可能とする。さらに、この筒状体をケースの内部に配置される壁部分を貫通させて設けるためケースやハウジングの外表面に筒状体の筒穴端部が露出しないので、外観上良好なデザインが得られる。
【００１０】
本発明の請求項２に記載のヘッドホンは、請求項１に記載のヘッドホンにおいて、ハウジング内の空間をケース内の空間から隔てる壁部分に、当該壁部分を貫通する小開口と、小開口を塞ぐように配置されるダンパとを備えることを特徴とする。
【００１１】
上述のように構成することにより、ヘッドバンドを後頭部に掛け渡すように着用し、耳回り部が適度に各耳の上側部位に圧接してヘッドホンの自重の大部分を支え、各ハウジングを耳孔内の所定の着用位置に保持して使用感を良好にできる。さらに、バーチカル方式の音源用のハウジングを、音の発射方向が顔面前方方向へ延びる耳孔方向に適合する状態に適切に保持して良好なリスニング状態を安定して設定できる。
【００１２】
また、ハウジング側の空間とケース内の音響的に開放された空間とを仕切る壁部分に穿設した小開口を塞ぐダンパにより、音源で発生した音のピーク値を低く押さえるようにし、より高品位な音を直接鼓膜に伝えるようにして良い音を聴取可能とする。さらに、この小開口を塞ぐダンパをケースの内部に配置される壁部分に設けるためケースやハウジングの外表面にダンパが露出しないので、外観上良好なデザインが得られる。
【００１５】
【発明の実施の形態】
本発明のヘッドホンの実施の形態が図１乃至図７に示されている。図示するように、本実施例の形態に係るヘッドホン１０は、人間の後頭部Ｈに掛け渡すように細棒状の部材であるつるを弧状に形成したヘッドバンド１２の両自由端部にそれぞれバーチカル方式の音源部を構成するためのケース１４が設けられている。
【００１６】
このヘッドバンド１２は、弾性に富む合成樹脂、例えばポリプロピレン製で、図示しないがその内部に両自由端を互いに接近させる方向に働く弾性力を調整する弧形状の弾性線材と、電気信号を伝達するリード線とが配設されている。
【００１７】
また、ヘッドバンド１２の両自由端部には、それぞれヘッドバンド１２と連続して設けられるケース１４とが相俟って、略半円弧状の耳回り部が構成されている。
【００１８】
本実施の形態では、図３に示すように各耳回り部の湾曲部中央から各自由端にかけての部分がケース１４によって構成されている。
【００１９】
図４乃至図７に示すように、ケース１４は主にハウジング１６と一体の内ケース部２４と、外ケース部２６と、カバー２０とで構成されている。
【００２０】
この内ケース部２４は、平板をノ字形状に形成した内側部２４Ａの太幅端部から内側部２４Ａの平面に直交する方向へ略小ドーム形状（略中空小半球形状）のハウジング１６が一体的に形成されている。
【００２１】
ハウジング１６には、その内側部２４Ａとの付け根部分における自由端側に音響特性調整用の小円孔２８が穿設されるとともに、この小円孔２８より内側部２４Ａの延出側へ隣接した部位に音響特性調整用の細長変形形状の小開口３０が穿設されている。
【００２２】
ハウジング１６の小円孔２８には、軟質の可撓性プラスチック製の小形の筒状体であるパイプ３２が、その基端部を小円孔２８にぴったりと嵌め込むように貫通させて取り付けられている。このように取り付けられたパイプ３２は、その一方の端部開口をドーム形ハウジング１６の内側中央の最も凹んだ部分に臨ませ、他方の端部開口を内ケース部２４の内側部２４Ａから外ケース部２６側へ向けて小量突出するように設置されている。なお、ハウジング１６に小円孔２８だけを設け、パイプ３２を設置しない構成としても良い。
【００２３】
またハウジング１６の小開口３０は、通気性を有するスポンジ状の材料、例えばウレタンで形成したダンパ３４で蓋をするように塞がれている。このダンパ３４を配置するため、図５及び図６に示すように内ケース部２４における外ケース部２６側の側面部は小開口３０の周囲に一回り大きな平面形状の浅溝凹部３６が形成されている。そしてこの凹部３６内に略同形のダンパ３４を嵌め込むことにより小開口３０に蓋をするようにして塞ぐよう構成されている。
【００２４】
図３及び図４に示すようにハウジング１６におけるヘッドバンド１２の各自由端側の矢印Ａ方向（ヘッドホンの使用時に着用者の顔の向く方向）の開口部分には、音源部としてのドライバユニット２２と音声出力口用の小孔１８を多数穿設したカバー２０とが配設されている。すなわち、カバー２０とハウジング１６とで囲まれた空間内部には、図示しないコイル及び振動板等で構成された小型音源としてのドライバユニット２２を配置し、カバー２０の小孔１８等を通じて矢印Ａ方向に音声を発するよう構成されている。このときドライバユニット２２とハウジング１６は音響特性を良好に保つため、密閉状に取付けられる。
【００２５】
図１乃至図４に示すように、各外ケース部２６は、それぞれ対応する内ケース部２４と平面形状が一致し、かつ断面Ｕ字状となるよう形成されるもので、その外側面部がヘッドバンド１２との接続部から自由端部にかけて徐々に太くなってから先細りとなる流線形状に形成されている。さらに、外ケース部２６には先端にマイクジャック（図示せず）を付けたコード３８を通す透孔が穿孔され、この透孔を通したコード３８は内ケース部２４に取り付けられたパイプ３２のパイプ孔内に遊挿されて一方のハウジング１６内に導入され、一方のドライバユニット２２に接続される。
【００２６】
また、コード３８はヘッドバンド１２に通された図示しないリード線に接続される。なお、ヘッドバンド１２のリード線は外ケース部２６の内部を通り、内ケース部２４のパイプ３２の孔に遊挿されて他方のハウジング１６内に導入され、他方のドライバユニット２２に接続される。
【００２７】
外ケース部２６には、その凹んだ部分の開口を塞ぐように内ケース部２４が一体的に嵌め付けられる。このとき、外ケース部２６と内ケース部２４との合わせ目に微小の隙間を残しておき、外ケース部２６と内ケース部２４で囲まれた空間内部の空気が外気と流通可能とし、この空間内部が音響上外気に開放されたと同様に扱えるようにされている。
【００２８】
上述のように構成されたケース１４では、ハウジング１６内のドライバユニット２２で発生する音をパイプ３２を通して内ケース部２４と外ケース部２６とで囲まれた空間へ出すことにより、低音域ピーク特性をより低い音域に低音のピークが移るように設定する。なお、ドライバユニット２２で発生する音をハウジング１６の小円孔２８を通して内ケース部２４と外ケース部２６とで囲まれた空間へ出すことにより、低音域ピーク特性をより低い音域に低音のピークが移るように設定しても良い。
【００２９】
また、ケース１４では、ハウジング１６の空間と内ケース部２４と外ケース部２６とで囲まれた空間との隔壁に開口する小開口３０に設けられたダンパ３４によって、ドライバユニット２２で発生する音のピーク値を低く押さえるようにする。
【００３０】
このようにケース１４内のドライバユニット２２から発生された音をパイプ３２又は小円孔２８と、ダンパ３４との作用により、フラットで高品位な音響特性にしてハウジング１６のカバー２０側から音を出すので、聴取者はより高品位な音を開くことができる。
【００３１】
さらに、上述の効果と相俟ってハウジング１６はバーチカル方式となっているので、そのカバー２０側から発射される音が耳の孔の壁に反射することなく、直接鼓膜に伝達されるので、より良好で高品位な音を聴取可能となる。
【００３２】
図１、図２及び図３に示すようにヘッドホン１０におけるヘッドバンド１２には、その各自由端の図に矢印Ａで示した方向に対する先端からハウジング１６までの距離Ｌを置いた部分に頭部Ｈに対する当接支持部１２Ａを構成する。
【００３３】
この当接支持部１２Ａは、ヘッドバンド１２の頭部Ｈに向いた側部を他の部分より幅広で滑らかな平面状に形成し、その両側の角側部を丸めて形成されている。図１に示すように各当接支持部１２Ａは、ヘッドホン１０を頭部に着用した際にヘッドバンドト１２が全体的に弾性変形してハウジング１６の延出方向に対し略直交する状態となるよう構成されている。
【００３４】
また、各当接支持部１２Ａ部分には、頭部Ｈとの当接を良好にし、違和感を与えないようにするため凹凸を付けて滑り止めとしたり、スポンジを被せて表面を柔らかく、かつ冷たい感じを与えないようにするよう構成しても良い。
【００３５】
なお、各ケース１４を各当接支持部１２Ａ部分の位置まで一体的に延出するよう構成し、各ケース１４自体に各当接支持部１２Ａを設けても良い。
【００３６】
ヘッドホン１０は、図示しないがその一方のケース１４から先端にマイクジャックを付けたコードが引き出され、このマイクジャックをテープレコーダ、ラジオ等の音響機器に接続することにより、音響機器からコードを介して送られた電気信号を一方のケース１４のドライバユニット２２に入力するとともに、他方のケース１４のドライバユニット２２に電気信号を入力し、これら２個のドライバユニット２２を駆動して音を発生させるよう構成されている。
【００３７】
次に、上述のように構成した本実施の形態のヘッドホンの使用法及び作用について説明する。
【００３８】
図１及び図２に示すように、ヘッドホン１０は頭部Ｈの後頭部にヘッドバンド１２を渡すように掛け、各当接支持部１２Ａが頭部Ｈの各耳の上側に当接し、かつ各ハウジング１６が各耳孔Ｅの中に入る状態となるように着用する。
【００３９】
この着用状態では、ヘッドバンド１２が図１に想像線で示す位置から実線で示す位置まで弾性変形したことによる付勢力によって、各当接支持部１２Ａが頭部Ｈの各耳の上側へ適度な押圧力で弾性的に圧接する。これとともに、各ハウジング１６が各耳孔Ｅ内へ所定量侵入した状態に保持される。なお、各ハウジング１６は各当接支持部１２Ａに対して頭部Ｈ側へ突出する長さが一定となるように構成されているので、ヘッドバンド１２が弾性変形したときの付勢力が各当接支持部１２Ａで受けられることによって各ハウジング１６を耳孔Ｅの奥へ押し込む力として働くことはない。よって、ハウジング１６が耳孔Ｅ内へ強く押し込まれることはない。
【００４０】
また、ヘッドホン１０は、全体として頭部Ｈの両耳の上側部分に対し各当接支持部１２Ａを適度に圧接して自重の大部分を支持するとともに、各ハウジング１６を両耳孔Ｅに挿入して着用位置を保持するので、適切に着用状態を保持でき、しかも着用者が多少動いても外れ落ちるようなことを防止し、違和感なく良好に使用できる。
【００４１】
また、このヘッドホン１０では、バーチカル方式に構成されているので、当接支持部１２Ａの働きで耳孔Ｅに対する適正位置に保持された各ハウジング１６が矢印Ａ方向に音を発生すると、その音は適正に耳孔Ｅの向いた方向へ発射され耳孔Ｅの壁等に反射することなく直接鼓膜へ届き、良好な音響効果が得られる状態を確実に維持できる。
【００４２】
【発明の効果】
以上説明したように本発明のヘッドホンによれば、音源部を含む全体を軽量小型化して使用感を良好にし、さらに音源部分で発生する音響特性をフラットにして高品位な音を出せるとともに、穴形状等の開口が表面に露出しないので良好な外観を得られるという効果がある。
【図面の簡単な説明】
【図１】本発明の実施の形態に係るヘッドホンの使用状態を示す平面図である。
【図２】本発明の実施の形態に係るヘッドホンの使用状態を示す斜視図である。
【図３】本発明の実施の形態に係るヘッドホンを示す全体斜視図である。
【図４】本発明の実施の形態に係るヘッドホンのケース部分を示す分解斜視図である。
【図５】本発明の実施の形態に係るヘッドホンのケース部分の内ケース部を取り出して示す側面図である。
【図６】図５のＶＩ−ＶＩ線による断面図である。
【図７】図６のＶＩＩ−ＶＩＩ線に対応する断面図である。
【符号の説明】
１０    ヘッドホン
１２    ヘッドバンド
１２Ａ    当接支持部
１４    ケース
１６    ハウジング
２２    ドライバユニット
２８    小円孔
３０    小開口
３２    パイプ
３４    ダンパ
【図１】
0004135043.tif 000002
【図２】
0004135043.tif 000003
【図３】
0004135043.tif 000004
【図４】
0004135043.tif 000005
【図５】
0004135043.tif 000006
【図６】
0004135043.tif 000007
【図７】
0004135043.tif 000008